(57)【要約】【課題】点灯時の光束の低下を抑制しつつ消灯時の意匠性を向上させることができる照明器具を提供する。【解決手段】照明光を照射する照明器具１であって、光源１０と、光源１０から出射する光が透過する光制御部材２０とを備え、光制御部材２０の光出射面は、照明器具１の意匠面であり、光制御部材２０は、電気的に制御されることで透過率が変化し、光源１０が消灯しているときの光制御部材２０の透過率は、光源１０が点灯しているときの光制御部材２０の透過率よりも低い。【選択図】図１
2019192488.tif 000002
【特許請求の範囲】
【請求項１】
照明光を照射する照明器具であって、
光源と、
前記光源から出射する光が透過する光制御部材とを備え、
前記光制御部材の光出射面は、前記照明器具の意匠面であり、
前記光制御部材は、電気的に制御されることで透過率が変化し、
前記光源が消灯しているときの前記光制御部材の透過率は、前記光源が点灯しているときの前記光制御部材の透過率よりも低い、
照明器具。
【請求項２】
前記光制御部材は、電気的に制御されることで複数のモードに切り替え可能に構成されており、
前記複数のモードには、前記光制御部材の透過率が所定の閾値以下となる第１のモードと、前記光制御部材の透過率が前記所定の閾値を超える第２のモードとが含まれており、
前記光源が消灯している場合、前記光制御部材は、前記第１のモードになっている、
請求項１に記載の照明器具。
【請求項３】
前記所定の閾値は、８０％以下である、
請求項２に記載の照明器具。
【請求項４】
前記所定の閾値は、５０％以下である、
請求項２に記載の照明器具。
【請求項５】
前記第１のモードは、前記光制御部材に入射する光を拡散させて透過させる拡散モードであり、
前記第２のモードは、前記光制御部材に入射する光を直進透過させる透明モードである、
請求項２〜４のいずれか１項に記載の照明器具。
【請求項６】
前記光源が消灯しているときの前記光制御部材の透過率は、４０％以上８０％以下である、
請求項１〜５のいずれか１項に記載の照明器具。
【請求項７】
前記光制御部材は、シート状又はフィルム状であり、光源を覆っている、
請求項１〜６のいずれか１項に記載の照明器具。
【請求項８】
さらに、開口部を有し、造営材に埋め込み配設される枠体部を備え、
前記枠体部は、前記開口部の端部から前記造営材の造営面に突出するフランジ部を有し、
前記光制御部材は、前記開口部及び前記フランジ部を覆っている、
請求項１〜７のいずれか１項に記載の照明器具。
【請求項９】
前記光制御部材は、前記光源が消灯しているときに前記照明器具が設置される造営材の造営面に同化する、
請求項１〜８のいずれか１項に記載の照明器具。
【請求項１０】
前記光制御部材の外面は、前記光源が消灯しているときに前記照明器具が設置される造営材の造営面と同じ色又は同じ模様である、
請求項１〜８のいずれか１項に記載の照明器具。
【請求項１１】
さらに、前記光源と前記光制御部材の間に配置された透光部材を備え、
前記光制御部材は、前記透光部材を透過した前記光源の光の透過量を制御する、
請求項１〜１０のいずれか１項に記載の照明器具。
【請求項１２】
前記透光部材は、集光レンズであり、
前記光制御部材の一部に、貫通孔が設けられている、
請求項１１に記載の照明器具。
【請求項１３】
前記透光部材は、透過する光を拡散させる拡散部材である、
請求項１１に記載の照明器具。
【請求項１４】
前記光制御部材は、
第１の透明基板と、
前記第１の透明基板に対向して配置された第２の透明基板と、
前記第１の透明基板の前記第２の透明基板側に配置された第１の透明電極と、
前記第２の透明基板の前記第１の透明基板側に配置された第２の透明電極と、
前記第１の透明電極と前記第２の透明電極との間に配置された配光制御層とを有し、
前記配光制御層は、樹脂と、前記樹脂の中に存在する液晶とによって構成されている、
請求項１〜１３のいずれか１項に記載の照明器具。
【発明の詳細な説明】
【技術分野】
【０００１】
本発明は、照明器具に関する。
【背景技術】
【０００２】
ダウンライト等の照明器具が知られている（例えば特許文献１）。照明器具では、内部に配置された光源等の内部構造が見えると、意匠性が損なわれる。特に、点灯時は眩しいのでユーザは照明器具を直視することは少ないが、消灯時においては照明器具を直視することがある。このため、消灯時の照明器具の意匠性を向上させることが求められている。
【０００３】
そこで、従来、照明器具の意匠性を向上させるために、前面パネルとして乳白色の拡散パネルを配置することで内部構造を見えにくくしたり、光源を筐体の内側部に配置して光源が外観から見えないようにしたりする照明器具が提案されている。
【先行技術文献】
【特許文献】
【０００４】
【特許文献１】特開２００８−３１１２３８号公報
【発明の概要】
【発明が解決しようとする課題】
【０００５】
しかしながら、照明器具では点灯時に明るい照明光を照射することが求められるところ、前面パネルとして拡散パネルを配置すると、光源から出射した光が拡散パネルを透過する際に損失し、照明器具の光束が低下してしまう。また、光源を筐体の内側部に配置すると、光源から出射した光を照明器具として所望の配光にするために、レンズ又は導光板等を用いる必要があり、この場合も光束が低下してしまう。
【０００６】
このように、これまでの照明器具では、消灯時の意匠性を向上させようとすると、点灯時の光束を低下させることになり、照明器具の器具効率が低下するという課題がある。つまり、消灯時の意匠性を向上させることと相反して点灯時の光束が低下する。
【０００７】
本発明は、このような課題を解決するためになされたものであり、点灯時の光束の低下を抑制しつつ消灯時の意匠性を向上させることができる照明器具を提供することを目的とする。
【課題を解決するための手段】
【０００８】
上記目的を達成するために、本発明に係る照明器具の一態様は、照明光を照射する照明器具であって、光源と、前記光源から出射する光が透過する光制御部材とを備え、前記光制御部材の光出射面は、前記照明器具の意匠面であり、前記光制御部材は、電気的に制御されることで透過率が変化し、前記光源が消灯しているときの前記光制御部材の透過率は、前記光源が点灯しているときの前記光制御部材の透過率よりも低い。
【発明の効果】
【０００９】
点灯時の光束の低下を抑制しつつ消灯時の意匠性を向上させることができる。
【図面の簡単な説明】
【００１０】
【図１】実施の形態１に係る照明器具の断面図である。
【図２Ａ】実施の形態１に係る照明器具に用いられる光制御部材の第１のモードを説明するための図である。
【図２Ｂ】実施の形態１に係る照明器具に用いられる光制御部材の第２のモードを説明するための図である。
【図３Ａ】実施の形態１に係る照明器具の消灯時の状態を説明するための図である。
【図３Ｂ】実施の形態１に係る照明器具の点灯時の第１の照明態様を説明するための図である。
【図３Ｃ】実施の形態１に係る照明器具の点灯時の第２の照明態様を説明するための図である。
【図４】実験における光源と光制御部材（拡散モード時）との配置例を示す断面図である。
【図５】実験により得られた、光源と光制御部材との距離と、光制御部材の全光線透過率との関係を示す図である。
【図６】実施の形態２に係る照明器具の断面図である。
【図７Ａ】実施の形態２に係る照明器具の消灯時の状態を説明するための図である。
【図７Ｂ】実施の形態２に係る照明器具の点灯時の第１の照明態様を説明するための図である。
【図７Ｃ】実施の形態２に係る照明器具の点灯時の第２の照明態様を説明するための図である。
【図８】実施の形態３に係る照明器具の断面図である。
【図９Ａ】実施の形態３に係る照明器具の消灯時の状態を説明するための図である。
【図９Ｂ】実施の形態３に係る照明器具の点灯時の第１の照明態様を説明するための図である。
【図９Ｃ】実施の形態３に係る照明器具の点灯時の第２の照明態様を説明するための図である。
【発明を実施するための形態】
【００１１】
以下、本発明の実施の形態について、図面を参照しながら説明する。以下に説明する実施の形態は、いずれも本発明の一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。各図において、実質的に同一の構成に対しては同一の符号を付しており、重複する説明は省略又は簡略化される場合がある。
【００１３】
（実施の形態１）
まず、実施の形態に係る照明器具１の構成について、図１を用いて説明する。図１は、実施の形態に係る照明器具１の断面図である。図１では、照明器具１が天井１００に設置された状態を示している。
【００１４】
照明器具１は、天井又は壁等の建物の造営材に設置される。本実施の形態において、照明器具１は、天井１００に埋め込み配設されることにより下方（床や壁等）に照明光を照明するダウンライト等の天井埋込型の照明器具である。
【００１５】
照明器具１は、光源１０及び光制御部材２０を有する灯具２と、電源ボックス３とを備える。灯具２は、天井１００の開口孔１０１に埋め込み配設される。また、電源ボックス３は、天井１００の天井裏に配置されている。灯具２と電源ボックス３とは、第１の電源線４ａ及び第２の電源線４ｂによって電気的に接続されている。
【００１６】
電源ボックス３は、灯具２の光源１０を発光させるための電力を生成する第１の電源回路３ａ（光源駆動用電源回路）と、灯具２の光制御部材２０を駆動するための電力を生成する第２の電源回路３ｂ（光制御部材駆動用電源回路）とを有する。
【００１７】
第１の電源回路３ａで生成された電力は、第１の電源線４ａを介して光源１０に供給される。第１の電源回路３ａは、例えば、商用電源からの交流電力を直流電力に変換する。つまり、第１の電源回路３ａでは、光源１０を発光させるための電力として、直流電力が生成される。
【００１８】
一方、第２の電源回路３ｂで生成された電力は、第２の電源線４ｂを介して光制御部材２０に供給される。第２の電源回路３ｂで生成される電力は、光制御部材２０の駆動方式によって決定され、交流電力であってもよいし、直流電力であってもよい。なお、光制御部材２０が商用の交流電力（例えばＡＣ１００Ｖ）で駆動する場合は、商用電源からの交流電力が第２の電源回路３ｂ及び第２の電源線４ｂを介してそのまま光制御部材２０に供給される。
【００１９】
また、光源１０が調光制御及び調色制御できる構成を有している場合、電源ボックス３には、光源１０の調光制御を行ったり光源１０の調色制御を行ったりするための第１制御回路（光源用制御回路）が内蔵されていてもよい。また、電源ボックス３には、光制御部材２０のモードの切り替え制御を行うための第２制御回路（光制御部材駆動用制御回路）が内蔵されていてもよい。この場合、照明器具１は、さらに、第１制御回路及び第２制御回路に入力されるユーザからの制御信号を受信するセンサ等を有していてもよい。このセンサは、例えば、電源ボックス３に内蔵されていてもよいし、電源ボックス３の外部に設置されていてもよい。
【００２０】
次に、灯具２の詳細な構造について、図１を用いて説明する。図１に示すように、灯具２は、光源１０と、光制御部材２０と、器具本体３０とを備える。
【００２１】
光源１０は、照明器具１の照明光となる光を発する。本実施の形態において、光源１０は、ＬＥＤを有するＬＥＤ光源であり、例えば白色光を発する。
【００２２】
光源１０は、発光部１１と、基板１２とを有する光源モジュールとして構成されている。本実施の形態において、光源１０は、ＬＥＤが基板１２に直接実装されたＣＯＢ（Ｃｈｉｐ  Ｏｎ  Ｂｏａｒｄ）構造のＬＥＤモジュールである。この場合、発光部１１は、基板１２に実装された複数のＬＥＤと、複数のＬＥＤを封止する封止部材とを有する。
【００２３】
発光部１１のＬＥＤは、発光素子の一例であり、本実施の形態では、単色の可視光を発するベアチップである。ＬＥＤは、例えば、通電されれば青色光を発する青色ＬＥＤチップである。ＬＥＤは、例えば基板にマトリクス状に複数個配置されている。なお、ＬＥＤは、少なくとも１つ配置されていればよい。
【００２４】
発光部１１の封止部材は、例えば透光性樹脂である。本実施の形態における封止部材は、ＬＥＤからの光を波長変換する波長変換材として蛍光体を含んでいる。封止部材は、例えば、シリコーン樹脂に蛍光体が分散された蛍光体含有樹脂である。蛍光体粒子としては、ＬＥＤが青色光を発光する青色ＬＥＤチップである場合、白色光を得るために、例えばＹＡＧ系の黄色蛍光体を用いることができる。なお、蛍光体含有樹脂には、黄色蛍光体以外に、赤色蛍光体及び緑色蛍光体等が含有されていてもよい。
【００２５】
封止部材は、全てのＬＥＤを一括封止しているが、全てのＬＥＤを一括封止するのではなく、複数のＬＥＤを列ごとにライン状に封止してもよいし、各ＬＥＤを１つずつ個別に封止してもよい。
【００２６】
基板１２は、ＬＥＤを実装するための実装基板である。基板１２は、例えば、樹脂基板、メタルベース基板又はセラミック基板等である。基板１２には、ＬＥＤを発光させるための直流電力を受電する一対の接続端子と、ＬＥＤ同士を電気的に接続するための所定のパターンの金属配線とが形成されている。一対の接続端子は、第１の電源線４ａに接続されている。
【００２７】
このように構成される光源１０は、器具本体３０に固定されている。器具本体３０は、照明器具１の本体であり、光源１０が配置されるベース部（基台）として機能する。具体的には、器具本体３０は、光源１０が配置される配置面３０ａを有しており、光源１０は、器具本体３０の配置面３０ａに配置されて器具本体３０に固定される。例えば、光源１０は、ホルダ（不図示）によって器具本体３０の配置面３０ａに押さえつけられるようにして器具本体３０に保持されている。
【００２８】
なお、光源１０と器具本体３０の配置面３０ａとの間には、熱伝導シート４０が挿入されていている。具体的には、熱伝導シート４０は、光源１０の基板１２と器具本体３０の配置面３０ａとの間に配置されており、光源１０（基板１２）と器具本体３０とに挟持されている。
【００２９】
また、器具本体３０は、光源１０で発生する熱を放熱するヒートシンクとしても機能する。したがって、器具本体３０は、金属材料等の熱伝導率の高い材料によって構成されているとよい。本実施の形態において、器具本体３０は、例えば略有底筒形状であり、例えば、アルミニウム合金板等の金属板をプレス加工することによって形成することができる。なお、器具本体３０は、プレス加工による板金製ではなく、アルミニウム合金等からなるダイキャスト製であってもよい。
【００３０】
器具本体３０は、枠体部３１を有する。枠体部３１は、天井１００の開口孔１０１に埋め込み配設される。枠体部３１が天井１００の開口孔１０１に固定されることで、器具本体３０が天井１００に固定される。例えば、枠体部３１の外周面に取り付けられた複数の取付バネ（不図示）を、天井１００の開口孔１０１の内側面との間で弾性変形させることによって、器具本体３０を天井１００に固定することができる。
【００３１】
枠体部３１は、開口部３１ａを有する筒状の構造であり、光源１０から出射した光が通過する。枠体部３１を通過した光源１０の光は、光制御部材２０に入射する。本実施の形態において、枠体部３１は、例えば円錐台の筒状である。この場合、開口部３１ａの開口形状は、円形である。
【００３２】
また、枠体部３１は、開口部３１ａの端部から天井１００の天井面に突出するフランジ部３１ｂを有する。フランジ部３１ｂは、枠体部３１を天井１００の開口孔１０１に配設する際、天井１００の天井面に係止される。
【００３３】
また、器具本体３０には、第１の電源線４ａ及び第２の電源線４ｂが挿通される挿通孔３２が設けられている。挿通孔３２は、器具本体３０の底部に設けられているが、これに限るものではなく、器具本体３０の側壁部に設けられていてもよい。
【００３４】
器具本体３０に配置された光源１０から出射した光は、光制御部材２０に入射する。本実施の形態では、器具本体３０内には反射板５０が配置されているので、光源１０から出射した光の一部は、反射板５０で反射して光制御部材２０に入射する。反射板５０の内面は反射面となっている。
【００３５】
反射板５０は、例えば、内面形状が漏斗状の円筒形状であり、内径が光入射側（光源１０側）の開口部から光出射側の開口部に向かって漸次大きくなるように構成されている。反射板５０は、例えば樹脂材料又は金属材料によって構成することができる。一例として、反射板５０は、ＰＢＴ（ポリブチレンテレフタレート）等の樹脂材料を用いた作製された白色の樹脂成型品であってもよいし、樹脂成型品の内面にアルミニウム等の金属膜が形成されたものであってもよいし、アルミニウム等の金属材料によって形成された金属部品であってもよい。なお、反射板５０は、器具本体３０に直接取り付けられていてもよいし、光源１０を保持するホルダ（不図示）に取り付けられていてもよい。
【００３６】
このように、光源１０から出射した光は、直接又は反射板５０で反射して光制御部材２０に入射する。光制御部材２０は、光源１０から出射する光が透過する透光部材であり、光制御部材２０に入射した光は、光制御部材２０を透過する。
【００３７】
また、光制御部材２０は、光制御部材２０が電気的に制御されることで透過する光を制御する機能性部材である。具体的には、光制御部材２０は、電気的に制御されることで透過率が変化する。したがって、光制御部材２０に入射する光は、光制御部材２０の透過率に応じて透過する光量が変化する。つまり、光制御部材２０を透過する光の光束が変化する。
【００３８】
本実施の形態では、さらに、光制御部材２０は、電気的に制御されることで光源１０から出射した光の配光を変化させている。これにより、照明器具１（灯具２）の照明光の照明態様が変化する。つまり、光制御部材２０は、光源１０から出射した光の明るさを変化させるだけではなく配光も変化させている。
【００３９】
光制御部材２０は、シート状又はフィルム状である。つまり、光制御部材２０は、厚さが薄い平板部材であり、シート状の機能性シート又はフィルム状の機能性フィルムとして構成される。光制御部材２０の厚さは、例えば、０．１ｍｍ〜１ｍｍ程度である。
【００４０】
また、光制御部材２０は、光源１０を覆っている。具体的には、光制御部材２０は、器具本体３０の枠体部３１の開口部３１ａを塞ぐように配置されている。したがって、光制御部材２０の平面視形状は、略円形である。
【００４１】
本実施の形態において、光制御部材２０は、さらに、枠体部３１の開口部３１ａとともにフランジ部３１ｂも覆っている。具体的には、光制御部材２０は、フランジ部３１ｂの表面及び側面を覆うように端部が折り曲げられている。これにより、照明器具１が天井１００から露出する部分は、照明器具１の最外郭を構成する光制御部材２０のみとなっている。したがって、光制御部材２０の光出射面は、照明器具１の意匠面（外郭面）である。本実施の形態において、光制御部材２０の光出射面は、平面であり、天井１００の天井面に略平行となっている。つまり、光制御部材２０は、光出射面（意匠面）が天井１００の天井面に略平行となるように配置されている。
【００４２】
光制御部材２０は、電気的に制御されることで複数のモードに切り替え可能に構成されている。光制御部材２０の複数のモードには、光制御部材２０の透過率が所定の閾値以下となる低透過率モードである第１のモードと、光制御部材２０の透過率が所定の閾値を超える高透過率モードである第２のモードとが含まれている。後述するように、本実施の形態において、光制御部材２０の第１のモードは、光制御部材２０に入射する光を拡散させて透過させる拡散モードであり、光制御部材２０の第２のモードは、光制御部材２０に入射する光を直進透過させる透明モードである。
【００４３】
低透過率モードである第１のモード及び高透過率モードである第２のモードにおける光制御部材２０の所定の閾値は、例えば、８０％以下の値であり、より好ましくは、５０％以下の値である。具体的には、所定の閾値は、８０％、７０％であり、より好ましく、５０％、４０％、３０％であり、さらに好ましくは２０％である。なお、この所定の閾値は、これらの値に限るものではなく、第１のモード（低透過率モード）時の光制御部材２０の透過率が第２のモード（高透過率モード）時の光制御部材２０の透過率よりも相対的に低ければよい。あるいは、第２のモード（高透過率モード）時の光制御部材２０の透過率が第１のモード（低透過率モード）時の光制御部材２０の透過率よりも相対的に高ければよい。一例として、第１のモード時の光制御部材２０の光制御部材２０の透過率は、４０％であり、第２のモード時の光制御部材２０の透過率は、９０％である。
【００４４】
ここで、光制御部材２０の具体的な構造と複数のモードとについて、図２Ａ及び図２Ｂを用いて説明する。図２Ａは、実施の形態１に係る照明器具１に用いられる光制御部材２０の第１のモードを説明するための図である。図２Ｂは、同光制御部材２０の第２のモードを説明するための図である。図２Ａ及び図２Ｂは、図１の破線で囲まれる領域IIの拡大図である。
【００４５】
図２Ａ及び図２Ｂに示すように、光制御部材２０は、第１の透明基板２１ａと、第２の透明基板２１ｂと、第１の透明電極２２ａと、第２の透明電極２２ｂと、配光制御層２３とを有する。
【００４６】
第１の透明基板２１ａ及び第２の透明基板２１ｂは、例えば、ポリエチレンテレフタレート（ＰＥＴ）、ポリカーボネート（ＰＣ）又はアクリル等の透明樹脂材料からなる透明樹脂基板又はガラス材料からなるガラス基板等である。本実施の形態において、第１の透明基板２１ａ及び第２の透明基板２１ｂは、透明樹脂基板である。なお、第１の透明基板２１ａ及び第２の透明基板２１ｂは、リジッド基板であってもよいし、フレキシブル基板又はフィルム基板であってもよい。第１の透明基板２１ａ及び第２の透明基板２１ｂとして、フレキシブル基板又はフィルム基板を用いることで、光制御部材２０を湾曲させたり屈曲させたりすることができる。
【００４７】
第１の透明基板２１ａ及び第２の透明基板２１ｂは、互いに対向して配置されている。具体的には、第１の透明基板２１ａは、第２の透明基板２１ｂに対向して配置されており、第２の透明基板２１ｂは、第１の透明基板２１ａに対向して配置されている。
【００４８】
第１の透明電極２２ａは、第１の透明基板２１ａの第２の透明基板２１ｂ側に配置されている。また、第２の透明電極２２ｂは、第２の透明基板２１ｂの第１の透明基板２１ａ側に配置されている。具体的には、第１の透明電極２２ａは、第１の透明基板２１ａの第２の透明基板２１ｂ側の主面に形成されており、第２の透明電極２２ｂは、第２の透明基板２１ｂの第１の透明基板２１ａ側の主面に形成されている。したがって、第１の透明電極２２ａ及び第２の透明電極２２ｂは、互いに対向するように配置されている。
【００４９】
第１の透明電極２２ａ及び第２の透明電極２２ｂは、例えば、ＩＴＯ（Ｉｎｄｉｕｍ  Ｔｉｎ  Ｏｘｉｄｅ）等の透明金属酸化物からなる透明導電膜又は銀等の金属材料からなる金属薄膜等を用いることができる。
【００５０】
第１の透明電極２２ａ及び第２の透明電極２２ｂの平面視の形状は、第１の透明基板２１ａ及び第２の透明基板２１ｂの各々の表面のほぼ全面に形成されたべた電極であるが、これに限らない。
【００５１】
配光制御層２３は、第１の透明電極２２ａと第２の透明電極２２ｂとの間に配置されている。配光制御層２３は、高分子材料と液晶との複合材料によって構成されている。具体的には、配光制御層２３は、樹脂（樹脂層）２３ａと、樹脂２３ａの中に存在する液晶（液晶層）２３ｂとによって構成されている。
【００５２】
本実施の形態における配光制御層２３は、網目状のポリマー構造からなる樹脂２３ａと、ポリマー構造（網目）の間に存在する液晶２３ｂとによって構成されている。樹脂２３ａは、例えば、熱硬化性樹脂又は紫外線硬化性樹脂等であり、液晶２３ｂは、例えばネマティック液晶等である。
【００５３】
配光制御層２３としては、例えば、高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ）又はポリマーネットワーク型液晶（ＰＮＬＣ：Ｐｏｌｙｍｅｒ  Ｎｅｔｗｏｒｋ  Ｌｉｑｕｉｄ  Ｃｒｙｓｔａｌ）等を用いることができる。高分子分散型液晶又はポリマーネットワーク型液晶は、樹脂２３ａの中に液晶２３ｂが点状に存在する構造であるとよい。
【００５４】
なお、第１の透明基板２１ａの外面及び第２の透明基板２１ｂの外面に、厚さが１〜５ｍｍ程度の透明支持基板を接着剤等によって貼り合わせてもよい。これにより、光制御部材２０の強度を向上させることができる。透明支持基板としては、ガラス基板を用いることができるが、透明樹脂基板であってもよい。
【００５５】
このように構成される配光制御層２３は、第１の透明電極２２ａ及び第２の透明電極２２ｂに電圧が印加されることで液晶２３ｂの液晶分子の配向状態が変化する。この場合、第１の透明電極２２ａ及び第２の透明電極２２ｂには、交流電圧が印加されてもよいし、直流電圧が印加されてもよい。交流電圧の場合、電圧波形は、正弦波でもよいし、矩形波でもよい。
【００５６】
本実施の形態では、第１の透明電極２２ａ及び第２の透明電極２２ｂに電圧が印加されていない場合（電圧無印加時の場合）には、図２Ａに示すように、配光制御層２３の液晶２３ｂにおける液晶分子の配向状態が変化せず、液晶分子の向きはランダムな状態のままとなっている。つまり、配光制御層２３内の液晶分子の向きは、一定の方向に揃っていない。この場合、配光制御層２３に入射した光は、配光制御層２３の液晶２３ｂによって拡散（散乱）することになる。
【００５７】
このように、第１の透明電極２２ａ及び第２の透明電極２２ｂに電圧が印加されていない場合（電圧無印加時の場合）、光制御部材２０は、図２Ａに示すように、光制御部材２０に入射する光を拡散させて透過させる拡散モードとなる。この拡散モードは、光制御部材２０の第１のモードであって、光制御部材２０の透過率が所定の閾値（例えば透過率８０％）以下となる低透過率モードである。また、第１のモード（拡散モード）では、光制御部材２０に入射する光が拡散されるので、光制御部材２０を透過する光の配光が変化する。なお、第１のモード（拡散モード）における光制御部材２０の色は、例えば、乳白色である。
【００５８】
一方、第１の透明電極２２ａ及び第２の透明電極２２ｂに電圧が印加されている場合（電圧印加時の場合）には、図２Ｂに示すように、配光制御層２３の液晶２３ｂにおける液晶分子の配向状態が変化する。具体的には、配光制御層２３内の液晶分子が一定の方向に揃う。この場合、配光制御層２３に入射した光は、配光制御層２３によって配光が変化することなく、配光制御層２３を直進透過する。つまり、配光制御層２３は、透明状態となる。
【００５９】
このように、第１の透明電極２２ａ及び第２の透明電極２２ｂに電圧が印加されている場合（電圧印加時の場合）、光制御部材２０は、光制御部材２０に入射する光を直進透過させる透明モードとなる。つまり、電圧無印加時の場合、光制御部材２０は、光制御部材２０に入射する光を、屈折、拡散及び反射させることなく光制御部材２０を通過させる。この透明モードは、光制御部材２０の第２のモードであって、光制御部材２０の透過率が所定の閾値（例えば透過率８０％）を超える高透過率モードである。また、第２のモード（透明モード）では、光制御部材２０に入射する光が直進透過するので、光制御部材２０を透過する光の配光が変化しない。
【００６０】
以上のように構成される光制御部材２０は、電圧印加の有無によって入射する光に対する光学作用を変化させることができるアクティブ型の光学制御デバイスである。具体的には、第１の透明電極２２ａと第２の透明電極２２ｂとに印加する電圧を制御することによって、光制御部材２０を複数の光学モードに切り替えることができる。本実施の形態では、光制御部材２０を、低透過率モードである第１のモード（拡散モード）と高透過率モードである第２のモード（透明モード）との２つのモードに選択的に切り替えることができる。
【００６１】
次に、本実施の形態における照明器具１について、消灯時における照明器具１の制御と点灯時における照明器具１の照明光の照明態様の切り替え制御とについて、図３Ａ、図３Ｂ及び図３Ｃを用いて説明する。図３Ａは、実施の形態１に係る照明器具１の消灯時の状態を説明するための図である。図３Ｂは、同照明器具１の点灯時の第１の照明態様を説明するための図である。図３Ｃは、同照明器具１の点灯時の第２の照明態様を説明するための図である。なお、図３Ａ〜図３Ｃでは、照明器具１の灯具２のみを図示している。
【００６２】
照明器具１では、光制御部材２０を電気的に制御することで光制御部材２０の透過率を変化させることができる。本実施の形態では、光制御部材２０のモードを第１のモードと第２のモードとに切り替えることで、光制御部材２０のモードに応じて光制御部材２０の透過率を変化させることができる。
【００６３】
具体的には、光制御部材２０に電圧が印加されていない場合（電圧無印加時の場合）には、光制御部材２０は、上記のように、光制御部材２０に入射する光を拡散させて透過させる拡散モードとなる。この拡散モードは、光制御部材２０の透過率が所定の閾値以下となる低透過率モードである。
【００６４】
一方、光制御部材２０に電圧が印加されている場合（電圧印加時の場合）には、光制御部材２０は、上記のように、光制御部材２０に入射する光を直進透過させる透明モードとなる。この透明モードは、光制御部材２０の透過率が所定の閾値を超える高透過率モードである。
【００６５】
そして、図３Ａに示すように、本実施の形態における照明器具１では、光源１０が消灯している場合（照明器具１の消灯時）に、光制御部材２０は、低透過率モードである第１のモード（拡散モード）となるように制御されている。つまり、照明器具１では、光源１０が消灯しているときの光制御部材２０の透過率は、光源１０が点灯しているときの光制御部材２０の透過率よりも低くなっている。
【００６６】
本実施の形態では、低透過率モードである第１のモードのときの光制御部材２０の透過率は、消灯時の照明器具１をユーザが見たときに光源１０の存在を認識できない程度の透過率に設定されている。具体的には、第１のモード（低透過率モード）のときの光制御部材２０の透過率は、８０％以上、好ましくは、９０％以上である。
【００６７】
これにより、照明器具１の消灯時にユーザが照明器具１の意匠面（つまり光制御部材２０の光出射面）を直視したとしても照明器具１の内部構造を視認することができない。したがって、消灯時の照明器具１の意匠性を向上させることができる。
【００６８】
なお、本実施の形態における照明器具１では、照明器具１（光源１０）の消灯時には、光制御部材２０が第１のモード（低透過率モード）となるように自動設定されている。つまり、照明器具１の点灯時に光制御部材２０がどのモードになっていたとしても、ユーザが照明器具１（光源１０）を消灯させたときには、照明器具１は、自動的に光制御部材２０が第１のモード（低透過率モード）に切り替わるように制御されている。具体的には、照明器具１は、このような制御が行われるような制御回路を有している。
【００６９】
次に、点灯時における照明器具１の照明光の照明態様の切り替え制御について説明する。照明器具１では、光制御部材２０を電気的に制御することで照明光の照明態様を変化させることもできる。本実施の形態では、照明器具１の点灯時に光制御部材２０のモードを第１のモードと第２のモードとに切り替えることで、光制御部材２０のモードに応じて照明光の照明態様を変化させることができる。
【００７０】
具体的には、光制御部材２０に電圧が印加されていない場合（電圧無印加時の場合）には、光制御部材２０は、上記のように、光制御部材２０に入射する光を拡散させて透過させる拡散モードとなる。
【００７１】
この場合、図３Ｂに示すように、光源１０から出射して光制御部材２０に入射する光は、光制御部材２０を通過する際に拡散して拡散光（散乱光）となる。つまり、光源１０から出射する光の配光は、光制御部材２０によって変化する。このように、図３Ａにおいて、照明器具１は、照明光として拡散光を照射する態様になっている。
【００７２】
一方、光制御部材２０に電圧が印加されている場合（電圧印加時の場合）には、光制御部材２０は、上記のように、光制御部材２０に入射する光を直進透過させる透明モードとなる。
【００７３】
この場合、図３Ｃに示すように、光源１０から出射して光制御部材２０に入射する光は、光制御部材２０を直進透過する。つまり、光源１０から出射する光の配光は、光制御部材２０によって変化しない。このように、図３Ｃにおいて、照明器具１は、光源１０から出射した光の配光が維持された光を照明光として照射する態様になっている。
【００７４】
しかも、図３Ｃでは、光制御部材２０が高透過率モードとなっているので、図３Ｂの低透過率モードの場合と比べて、光制御部材２０に入射した光が光制御部材２０を通過する際の光束の低下が小さい。本実施の形態では、光制御部材２０の高透過率モードが透明モードであるので、図３Ｃでは、光制御部材２０に入射した光は、光制御部材２０を通過する際にほとんど光束が低下しない。
【００７５】
したがって、照明器具１（光源１０）の点灯時においては、光制御部材２０のモードを第１のモード（拡散モード）から第２のモード（透明モード）に切り替えることで、光束を大きくすることができる。
【００７６】
なお、本実施の形態における照明器具１では、照明器具１（光源１０）の点灯時には、光制御部材２０が第２のモード（透明モード）となるように自動設定されている。つまり、点灯時の初期設定としては、照明光の明るさを優先して、照明器具１は、自動的に光制御部材２０が第２のモード（透明モード）となるように制御されている。具体的には、照明器具１は、このような制御が行われるような制御回路を有している。また、ユーザが照明器具１の照明光の配光を変えたい場合は、リモコン操作等によって光制御部材２０のモードを第１のモード（拡散モード）に切り替えることで、照明器具１の照明光の配光を変えることができる。これにより、照明器具１が設置される部屋の明かりの雰囲気を変えることもできる。
【００７７】
以上説明したように、本実施の形態における照明器具１は、光源１０と、光源１０から出射する光が透過する光制御部材２０とを備えており、光制御部材２０の光出射面は、照明器具１の意匠面であり、光制御部材２０は、電気的に制御されることで透過率が変化する。そして、照明器具１では、光源１０が消灯しているときの光制御部材２０の透過率は、光源１０が点灯しているときの光制御部材２０の透過率よりも低くなっている。
【００７８】
これにより、照明器具１の点灯時の光束の低下を抑制しつつ、照明器具１の消灯時の意匠性を向上させることができる。
【００７９】
また、本実施の形態において、光制御部材２０は、電気的に制御されることで複数のモードに切り替え可能に構成されており、複数のモードには、光制御部材２０の透過率が所定の閾値以下となる低透過率モードである第１のモードと、光制御部材２０の透過率が所定の閾値を超える高透過率モードである第２のモードとが含まれており、光源１０が消灯している場合、光制御部材２０は、第１のモードになっている。所定の閾値は、例えば、８０％であり、より好ましくは、５０％である。
【００８０】
これにより、光源１０が消灯している場合の光制御部材２０のモードを、高透過率モードの第２のモードから低透過率モードの第１のモードに切り替えることができる。したがって、光制御部材２０のモードの切り替え制御によって、点灯時での高い光束の維持と消灯時での意匠性の向上との両立を容易に図ることができる。
【００８１】
ここで、照明器具１の意匠性と光制御部材２０の透過率との関係についての実験を行ったので、以下説明する。
【００８２】
図４に示すように、本実験では、光源１０と光制御部材２０との距離をＬとし、光源１０から出射した光が厚さ２ｍｍの光制御部材２０を透過したときの全光線透過率をαとしている。
【００８３】
そして、印加電圧を調整して光制御部材２０の全光線透過率αを、３８．７％、４９．５％、７６．７％、９３．０％の４つに設定し、それぞれの全光線透過率αの場合について、光制御部材２０越しに光源１０を見たときに、光源１０が完全に見えるときの距離Ｌ１と、光源１０の発光部１１（蛍光体含有樹脂）が基板１２の色と同じになるときの距離Ｌ２と、光源１０が完全に見えないときの距離Ｌ３とを測定した。
【００８４】
その結果、光制御部材２０の全光線透過率αが３８．７％である場合、距離Ｌ１は０ｍｍ、距離Ｌ２は５．０ｍｍ、距離Ｌ３は７．０ｍｍであった。また、光制御部材２０の全光線透過率αが４９．５％である場合、距離Ｌ１は０ｍｍ、距離Ｌ２は７．０ｍｍ、距離Ｌ３は１４．０ｍｍであった。また、光制御部材２０の全光線透過率αが７６．７％である場合、距離Ｌ１は０ｍｍ、距離Ｌ２は１８．０ｍｍ、距離Ｌ３は４０．０ｍｍであった。また、光制御部材２０の全光線透過率αが９３．０％である場合、距離Ｌ１は０ｍｍ、距離Ｌ２は０．０ｍｍ、距離Ｌ３は０．０ｍｍであった。
【００８５】
この測定結果を図５に示す。図５において、距離Ｌ１は、四角マーク（□）、距離Ｌ２は、三角マーク（△）、距離Ｌ３は、円マーク（〇）で示している。照明器具１における光源１０と光制御部材２０との距離が概ね１０ｍｍ〜４０ｍｍ程度であるとすると、図５に示すように、点灯時の器具効率（光束）と消灯時の意匠性のバランスを考慮した場合には、光制御部材２０の全光線透過率αは４０％以上８０％以下の範囲が適切であることが分かる。また、その範囲において、光束を優先する場合には、光制御部材２０の全光線透過率αと距離Ｌとは、さらに、距離Ｌ２の円マークを示す３点（点Ｐ１、点Ｐ２、点Ｐ３）の近似直線Ｙより上側の領域Ａ１の範囲にするとよい。一方、意匠性を優先する場合には、光制御部材２０の全光線透過率αと距離Ｌとは、近似直線Ｙより下側の領域Ａ２の範囲にするとよい。なお、近似直線Ｙは、最小二乗法等により算出することができる。
【００８６】
このように、本実施の形態における照明器具１では、光制御部材２０の透過率（全光線透過率）を適切に設定することで、点灯時での高い光束の維持と消灯時での意匠性の向上との両立を図ることができる。
【００８７】
また、本実施の形態において、低透過率モードである第１のモードは、光制御部材２０に入射する光を拡散させて透過させる拡散モードであり、高透過率モードである第２のモードは、光制御部材２０に入射する光を直進透過させる透明モードである。
【００８８】
これにより、光制御部材２０を電気的に制御することによって、光制御部材２０のモードを拡散モード（第１のモード）と透明モード（第２のモード）とに切り替えることができる。したがって、光制御部材２０のモードを切り替えるだけで照明器具１の照明光を拡散させたり拡散させなかったりできるので、照明光の配光を簡単に変化させることができる。なお、本実施の形態では、光制御部材２０が拡散モードのときの照明器具１の照明光の配光角は、光制御部材２０が透明モードのときの照明器具１の照明光の配光角よりも大きい。
【００８９】
また、本実施の形態において、光制御部材２０は、シート状又はフィルム状であり、光源１０を覆っている。
【００９０】
これにより、光源１０から出射する光の配光を光制御部材２０によって簡単に変化させることができる。
【００９１】
また、本実施の形態では、光制御部材２０は、器具本体３０の枠体部３１における開口部３１ａ及びフランジ部３１ｂを覆っている。
【００９２】
これにより、照明器具１の意匠面全体が光制御部材２０の光出射面となるため、消灯時の照明器具１の意匠性を一層向上させることができる。
【００９３】
また、本実施の形態において、光制御部材２０は、光源１０が消灯しているときに照明器具１が設置される造営材の造営面（例えば天井面又は壁面）に同化するとよい。あるいは、光制御部材２０の外面は、光源１０が消灯しているときに照明器具１が設置される造営材の造営面と同じ色又は同じ模様であるとよい。
【００９４】
このように構成することで、消灯時に照明器具１を造営面に同化させて照明器具１の存在をユーザに感じにくくすることができる。つまり、照明器具１を建材と一体化させることができる。これにより、消灯時の意匠性をより一層向上させることができる。
【００９５】
なお、本実施の形態において、第１のモード（拡散モード）における光制御部材２０の色は、乳白色であるが、造営面の色が乳白色ではない場合、第１のモード（拡散モード）における光制御部材２０の色を造営面の色に合わせて、第１のモードにおける光制御部材２０の色を有色にするとよい。例えば、液晶２３ｂの材料として二色性色素を用いたり、第１の透明基板２１ａ及び／又は第２の透明基板２１ｂを有色に着色したりすることで、第１のモードにおける光制御部材２０の色を有色にすることができることができる。この場合、光制御部材２０は、電気的に制御されることで有色（電圧無印加時）と透明色（電圧印加時）とに切り替えられる。なお、電圧無印加時に暗色とする場合、暗色時の光制御部材２０には、光制御部材２０に入射する光をほぼ透過させずに遮光する場合だけではなく、暗色時の光制御部材２０の透過率が透明色時の光制御部材２０の透過率よりも低くなっている場合も含まれる。
【００９６】
（実施の形態２）
次に、実施の形態２に係る照明器具１Ａについて、図６を用いて説明する。図６は、実施の形態２に係る照明器具１Ａの断面図である。
【００９７】
本実施の形態における照明器具１Ａは、上記実施の形態１における照明器具１に対して、さらに、透光部材６０Ａを備える。図６に示すように、透光部材６０Ａは、光源１０と光制御部材２０Ａとの間に配置されている。したがって、光制御部材２０Ａは、透光部材６０Ａを透過した光源１０の光の透過量を制御することになる。
【００９８】
透光部材６０Ａは、光源１０から出射した光の配光を制御する配光制御機能を有する光学部材である。本実施の形態において、透光部材６０Ａは、集光レンズであり、入射する光を集光する。具体的には、透光部材６０Ａは、フレネルレンズである。透光部材６０Ａは、アクリル又はポリカーボネート等の透明樹脂材料又はガラス材料によって構成されている。なお、透光部材６０Ａは、レンズ機能だけではなく、光拡散機能を有していてもよい。この場合、光拡散機能としては、透光部材６０Ａの光出射側の表面に形成された複数の凹凸（ディンプル又はシボ）を形成したり、透光部材６０Ａの内部に光拡散材を分散させたり、乳白色の拡散膜を透光部材６０Ａの表面に形成したりすることで実現できる。
【００９９】
本実施の形態における光制御部材２０Ａは、上記実施の形態１における光制御部材２０と同様に、電気的に制御されることで複数のモードに切り替え可能に構成されている。具体的には、光制御部材２０Ａは、光制御部材２０Ａを透過する光の配光が変化する第１のモードとして光制御部材２０Ａに入射する光を拡散させて透過させる拡散モードと、光制御部材２０Ａを透過する光の配光が変化しない第２のモードとして光制御部材２０Ａに入射する光を直進透過させる透明モードとに切り替えられる。
【０１００】
また、本実施の形態では、光制御部材２０Ａの一部に、貫通孔２０ａが設けられている。具体的には、貫通孔２０ａは、光制御部材２０Ａの中央に設けられている。このように、光制御部材２０Ａに貫通孔２０ａが設けられているので、光制御部材２０Ａに入射する光のうち貫通孔２０ａに入射する光は、光制御部材２０Ａのモードに関わらず光制御部材２０Ａで制御されることなく貫通孔２０ａを通過する。一方、光制御部材２０Ａに入射する光のうち貫通孔２０ａ以外の部分に入射する光は、光制御部材２０Ａのモードに応じて光制御部材２０Ａで制御されて光制御部材２０Ａを通過する。
【０１０１】
次に、本実施の形態における照明器具１Ａについて、消灯時における照明器具１Ａの制御と点灯時における照明器具１Ａの照明光の照明態様の切り替え制御とについて、図７Ａ、図７Ｂ及び図７Ｃを用いて説明する。図７Ａは、実施の形態２に係る照明器具１Ａの消灯時の状態を説明するための図である。図７Ｂは、同照明器具１Ａの点灯時の第１の照明態様を説明するための図である。図７Ｃは、同照明器具１Ａの点灯時の第２の照明態様を説明するための図である。なお、図７Ａ〜図７Ｃでは、照明器具１Ａの灯具２Ａのみを図示している。
【０１０２】
本実施の形態における照明器具１Ａでは、上記実施の形態１における光制御部材２０と同様に、光制御部材２０Ａを第１のモード（拡散モード）と第２のモード（透明モード）とに切り替えることで、光制御部材２０Ａのモードに応じて光制御部材２０Ａの透過率を変化させることができる。
【０１０３】
具体的には、光制御部材２０Ａに電圧が印加されていない場合（電圧無印加時の場合）には、光制御部材２０Ａは、上記のように、光制御部材２０Ａに入射する光を拡散させて透過させる第１のモード（拡散モード）となる。この拡散モードは、光制御部材２０Ａの透過率が所定の閾値以下となる低透過率モードである。
【０１０４】
一方、光制御部材２０Ａに電圧が印加されている場合（電圧印加時の場合）には、光制御部材２０Ａは、上記のように、光制御部材２０Ａに入射する光を直進透過させる第２のモード（透明モード）となる。この透明モードは、光制御部材２０Ａの透過率が所定の閾値を超える高透過率モードである。
【０１０５】
そして、図７Ａに示すように、本実施の形態における照明器具１Ａでも、光源１０が消灯している場合（照明器具１Ａの消灯時）に、光制御部材２０Ａは、低透過率モードである第１のモード（拡散モード）となるように制御されている。つまり、照明器具１Ａでも、光源１０が消灯しているときの光制御部材２０Ａの透過率は、光源１０が点灯しているときの光制御部材２０Ａの透過率よりも低くなっている。
【０１０６】
これにより、照明器具１Ａの消灯時にユーザが照明器具１Ａの意匠面を直視したとしても照明器具１Ａの内部構造を視認することができないので、消灯時の照明器具１Ａの意匠性を向上させることができる。
【０１０７】
次に、点灯時における照明器具１Ａの照明光の照明態様の切り替え制御について説明する。照明器具１Ａでも、上記実施の形態１と同様に、光制御部材２０Ａを電気的に制御することで照明光の照明態様を変化させることもできる。つまり、本実施の形態でも、照明器具１Ａの点灯時に光制御部材２０Ａのモードを第１のモードと第２のモードとに切り替えることで、光制御部材２０Ａのモードに応じて照明光の照明態様を変化させることができる。
【０１０８】
具体的には、光制御部材２０Ａに電圧が印加されていない場合（電圧無印加時の場合）には、光制御部材２０Ａは、上記のように、光制御部材２０Ａに入射する光を拡散させて透過させる拡散モードとなる。
【０１０９】
本実施の形態では、光源１０と光制御部材２０Ａとの間に透光部材６０Ａが配置されている。したがって、図７Ｂに示すように、光源１０から出射した光は、透光部材６０Ａを透過してから光制御部材２０Ａに入射することになる。具体的には、透光部材６０Ａは集光レンズであるので、光源１０から出射した光は、透光部材６０Ａで集光されてから光制御部材２０Ａに入射する。
【０１１０】
このとき、本実施の形態では、光制御部材２０Ａには貫通孔２０ａが設けられているので、透光部材６０Ａで集光されて光制御部材２０Ａに入射した光のうち貫通孔２０ａに入射した光は、光制御部材２０Ａが拡散モードであっても、光制御部材２０Ａで拡散されることなく光制御部材２０Ａを通過する。一方、透光部材６０Ａで集光されて光制御部材２０Ａに入射した光のうち貫通孔２０ａに入射しなかった光は、拡散モード状態の光制御部材２０Ａを通過する際に拡散する。つまり、貫通孔２０ａに入射しなかった光は、貫通孔２０ａに入射した光に対して光制御部材２０Ａで遮断されることになり、貫通孔２０ａを通過した光と通過しない光とで光束差を大きく変えることができる。これにより、図７Ｂでは、貫通孔２０ａのピンホール効果によって、照明器具１Ａは、照明光として、ピンホールタイプのダウンライトのような配光の光を照射する態様になっている。
【０１１１】
一方、光制御部材２０Ａに電圧が印加されている場合（電圧印加時の場合）には、光制御部材２０Ａは、上記のように、光制御部材２０Ａに入射する光を直進透過させる透明モードとなる。
【０１１２】
この場合も、図７Ｃに示すように、光源１０から出射した光は、透光部材６０Ａで集光されてから光制御部材２０Ａに入射するが、光制御部材２０Ａは透明モードであるので、光制御部材２０Ａに入射する光のうち貫通孔２０ａを通過する光も貫通孔２０ａを通過しない光も光制御部材２０Ａを直進透過する。つまり、透光部材６０Ａで集光されて光制御部材２０Ａに入射した光は、光制御部材２０Ａによって配光が変化しない。このように、図７Ｃでは、照明器具１Ａは、照明光として、透光部材６０Ａで集光された光の配光を維持した光を照射する態様になっている。つまり、照明器具１Ａは、集光タイプのダウンライトのような配光の光を照射する態様になっている。
【０１１３】
しかも、図７Ｃでは、光制御部材２０Ａが高透過率モードとなっているので、図７Ｂの低透過率モードの場合と比べて、光制御部材２０Ａに入射した光が光制御部材２０Ａを通過する際の光束の低下が小さい。具体的には、光制御部材２０Ａの高透過率モードが透明モードであるので、図７Ｃでは、光制御部材２０Ａに入射した光は、光制御部材２０Ａを通過する際にほとんど光束が低下しない。
【０１１４】
したがって、照明器具１Ａ（光源１０）の点灯時においては、光制御部材２０Ａのモードを第１のモード（拡散モード）から第２のモード（透明モード）に切り替えることで、光束を大きくすることができる。
【０１１５】
なお、ユーザが照明器具１Ａの照明光の配光を変えたい場合は、リモコン操作等によって光制御部材２０Ａのモードを第１のモード（拡散モード）に切り替えることで、照明器具１Ａの照明光の配光を変えることができる。これにより、照明器具１Ａが設置される部屋の明かりの雰囲気を変えることもできる。
【０１１６】
以上、本実施の形態における照明器具１Ａでも、上記実施の形態１と同様に、光源１０が消灯しているときの光制御部材２０Ａの透過率は、光源１０が点灯しているときの光制御部材２０Ａの透過率よりも低くなっている。
【０１１７】
これにより、照明器具１Ａの点灯時の光束の低下を抑制しつつ、照明器具１Ａの消灯時の意匠性を向上させることができる。
【０１１８】
また、本実施の形態においても、実施の形態１と同様に、光制御部材２０Ａのモードを拡散モード（第１のモード）と透明モード（第２のモード）とに切り替えることで、照明器具１Ａの照明光の配光を簡単に変化させることができる。つまり、照明器具１Ａの照明光の照明態様を変化させることができる。
【０１１９】
この場合、本実施の形態では、光源１０と光制御部材２０Ａとの間に透光部材６０Ａが配置されている。
【０１２０】
これにより、光制御部材２０Ａには透光部材６０Ａを透過した光源１０の光が入射するので、透光部材６０Ａを透過した光をもとに、照明器具１Ａの照明光の照明態様を変化させることができる。
【０１２１】
また、本実施の形態において、透光部材６０Ａは、集光レンズであり、光制御部材２０Ａの一部に、貫通孔２０ａが設けられている。
【０１２２】
これにより、照明器具１Ａの照明光を、ピンホールダウンライトのような配光の光と集光タイプのダウンライトのような配光の光とに切り替えることができる。
【０１２３】
（実施の形態３）
次に、実施の形態３に係る照明器具１Ｂについて、図８を用いて説明する。図８は、実施の形態３に係る照明器具１Ｂの断面図である。
【０１２４】
本実施の形態における照明器具１Ｂは、上記実施の形態２における照明器具１Ａと同様に、光源１０と光制御部材２０との間に配置された透光部材６０Ｂを備える。ただし、本実施の形態における透光部材６０Ｂは、上記実施の形態２における透光部材６０Ｂと異なり、集光機能等のレンズ機能を有しておらず、透過する光を拡散させる拡散部材である。つまり、透光部材６０Ｂは、レンズ機能及び光拡散機能のうち光拡散機能のみを有している。
【０１２５】
具体的には、透光部材６０Ｂは、透光性及び光拡散性を有する拡散パネルである。透光部材６０Ｂの光拡散性は、例えば、透光性樹脂材料に光反射微粒子等の光拡散材を分散させたり、透光部材６０Ｂの表面（内面又は外面）に光拡散材等を含む乳白色の光拡散膜を形成したりすることで持たせることができる。また、光拡散材を用いることなく、透光部材６０Ｂの表面にシボ加工処理等を施して表面に微小凹凸を形成したり無数のディンプルを形成したり、あるいは、透光部材６０Ｂの表面にドットパターンを印刷したりすることでも、透光部材６０Ｂに光拡散性を持たせることができる。
【０１２６】
なお、透光部材６０Ｂは、アクリル又はポリカーボネート等の透明樹脂材料又はガラス材料によって構成されている。
【０１２７】
次に、本実施の形態における照明器具１Ｂについて、消灯時における照明器具１Ｂの制御と点灯時における照明器具１Ｂの照明光の照明態様の切り替え制御とについて、図９Ａ、図９Ｂ及び図９Ｃを用いて説明する。図９Ａは、実施の形態３に係る照明器具１Ｂの消灯時の状態を説明するための図である。図９Ｂは、同照明器具１Ｂの点灯時の第１の照明態様を説明するための図である。図９Ｃは、同照明器具１Ｂの点灯時の第２の照明態様を説明するための図である。なお、図９Ａ〜図９Ｃでは、照明器具１Ｂの灯具２Ｂのみを図示している。
【０１２８】
本実施の形態における照明器具１Ｂでも、上記実施の形態１と同様に、光制御部材２０を第１のモード（拡散モード）と第２のモード（透明モード）とに切り替えることで、光制御部材２０のモードに応じて光制御部材２０の透過率を変化させることができる。
【０１２９】
具体的には、光制御部材２０に電圧が印加されていない場合（電圧無印加時の場合）には、光制御部材２０は、上記のように、光制御部材２０に入射する光を拡散させて透過させる第１のモード（拡散モード）となる。この拡散モードは、光制御部材２０の透過率が所定の閾値以下となる低透過率モードである。
【０１３０】
一方、光制御部材２０に電圧が印加されている場合（電圧印加時の場合）には、光制御部材２０は、上記のように、光制御部材２０に入射する光を直進透過させる第２のモード（透明モード）となる。この透明モードは、光制御部材２０の透過率が所定の閾値を超える高透過率モードである。
【０１３１】
そして、図９Ａに示すように、本実施の形態における照明器具１Ｂでも、光源１０が消灯している場合（照明器具１Ｂの消灯時）に、光制御部材２０は、低透過率モードである第１のモード（拡散モード）となるように制御されている。つまり、照明器具１Ｂでも、光源１０が消灯しているときの光制御部材２０の透過率は、光源１０が点灯しているときの光制御部材２０の透過率よりも低くなっている。
【０１３２】
これにより、照明器具１Ｂの消灯時にユーザが照明器具１Ｂの意匠面を直視したとしても照明器具１Ｂの内部構造を視認することができないので、消灯時の照明器具１Ｂの意匠性を向上させることができる。
【０１３３】
次に、点灯時における照明器具１Ｂの照明光の照明態様の切り替え制御について説明する。照明器具１Ｂでも、上記実施の形態１と同様に、光制御部材２０を電気的に制御することで照明光の照明態様を変化させることができる。つまり、本実施の形態でも、照明器具１Ｂの点灯時に光制御部材２０のモードを第１のモードと第２のモードとに切り替えることで、光制御部材２０のモードに応じて照明光の照明態様を変化させることができる。
【０１３４】
具体的には、光制御部材２０に電圧が印加されていない場合（電圧無印加時の場合）には、光制御部材２０は、上記のように、光制御部材２０に入射する光を拡散させて透過させる拡散モードとなる。
【０１３５】
本実施の形態では、光源１０と光制御部材２０との間に透光部材６０Ｂが配置されている。したがって、図９Ｂに示すように、光源１０から出射した光は、透光部材６０Ｂを透過してから光制御部材２０に入射することになる。具体的には、透光部材６０Ｂは拡散部材であるので、光源１０から出射した光は、透光部材６０Ｂで拡散されてから光制御部材２０に入射する。
【０１３６】
したがって、透光部材６０Ｂで拡散されて光制御部材２０に入射した光は、拡散モード状態の光制御部材２０を通過する際に拡散する。つまり、光源１０から出射した光は、透光部材６０Ｂで拡散されてから、光制御部材２０でさらに拡散されることになる。これにより、図９Ｂでは、照明器具１Ｂは、照明光として、高拡散タイプのダウンライトのような広配光角の配光の光を照射する態様になっている。また、透光部材６０Ｂと光制御部材２０とで二重に光を拡散することができるので、均斉度の高い照明光を実現できる。
【０１３７】
一方、光制御部材２０に電圧が印加されている場合（電圧印加時の場合）には、光制御部材２０は、上記のように、光制御部材２０に入射する光を直進透過させる透明モードとなる。
【０１３８】
この場合も、図９Ｃに示すように、光源１０から出射した光は、透光部材６０Ｂで拡散されてから光制御部材２０に入射するが、光制御部材２０は透明モードであるので、光制御部材２０に入射する光は、光制御部材２０を直進透過する。つまり、透光部材６０Ｂで拡散されて光制御部材２０に入射した光は、光制御部材２０によって配光が変化しない。このように、図９Ｃでは、照明器具１Ｂは、照明光として、透光部材６０Ｂで拡散された光の配光を維持した光を照射する態様になっている。つまり、照明器具１Ｂは、図９Ｂよりも配光角が狭い低拡散タイプのダウンライトのような配光の光を照射する態様になっている。
【０１３９】
しかも、図９Ｃでは、光制御部材２０が高透過率モードとなっているので、図９Ｂの低透過率モードの場合と比べて、光制御部材２０に入射した光が光制御部材２０を通過する際の光束の低下が小さい。具体的には、光制御部材２０の高透過率モードが透明モードであるので、図９Ｃでは、光制御部材２０に入射した光は、光制御部材２０を通過する際にほとんど光束が低下しない。
【０１４０】
したがって、照明器具１Ｂ（光源１０）の点灯時においては、光制御部材２０のモードを第１のモード（拡散モード）から第２のモード（透明モード）に切り替えることで、光束を大きくすることができる。
【０１４１】
なお、ユーザが照明器具１Ｂの照明光の配光を変えたい場合は、リモコン操作等によって光制御部材２０のモードを第１のモード（拡散モード）に切り替えることで、照明器具１Ａの照明光の配光を変えることができる。これにより、照明器具１Ａが設置される部屋の明かりの雰囲気を変えることもできる。
【０１４２】
以上、本実施の形態における照明器具１Ｂでも、上記実施の形態１、２と同様に、光源１０が消灯しているときの光制御部材２０の透過率は、光源１０が点灯しているときの光制御部材２０の透過率よりも低くなっている。
【０１４３】
これにより、照明器具１Ｂの点灯時の光束の低下を抑制しつつ、照明器具１Ｂの消灯時の意匠性を向上させることができる。
【０１４４】
また、本実施の形態においても、実施の形態１と同様に、光制御部材２０のモードを拡散モード（第１のモード）と透明モード（第２のモード）とに切り替えることで、照明器具１Ｂの照明光の配光を簡単に変化させることができる。つまり、照明器具１Ｂの照明光の照明態様を変化させることができる。
【０１４５】
この場合、本実施の形態では、光源１０と光制御部材２０との間に透光部材６０Ｂが配置されている。
【０１４６】
これにより、光制御部材２０には透光部材６０Ｂを透過した光源１０の光が入射するので、透光部材６０Ｂを透過した光をもとに、照明器具１Ｂの照明光の照明態様を変化させることができる。
【０１４７】
また、本実施の形態において、透光部材６０Ｂは、透過する光を拡散させる拡散部材である。
【０１４８】
これにより、点灯時の照明器具１Ｂの照明光を、低拡散タイプのダウンライトのような配光の光と高拡散タイプのダウンライトのような配光の光とに切り替えることができる。つまり、照明器具１Ｂの照明光を広配光角の光と狭配光角の光とに切り替えることができる。
【０１４９】
（変形例）
以上、本発明について、実施の形態に基づいて説明したが、本発明は、上記実施の形態に限定されるものではない。
【０１５０】
例えば、上記実施の形態１〜３では、照明器具としてダウンライトを例示したが、これに限らず、上記実施の形態１〜３に開示された技術は、ペンダントタイプ、ブラケットタイプ、シーリングタイプ又はスタンドタイプ等の他の照明器具にも適用することができる。
【０１５１】
また、上記実施の形態２、３において、光制御部材２０Ａ及び２０は、器具本体３０の枠体部３１に設けられていたが、これに限らない。例えば、光制御部材２０Ａ及び２０は、透光部材６０Ａ及び６０Ｂの光出射面側に貼り合わされていてもよい。
【０１５２】
また、上記の各実施の形態における光制御部材２０及び２０Ａについては、電圧無印加時に第１のモード（拡散モード又は遮光モード）となり、電圧印加時に第２のモード（透明モード）となるように構成されていたが、これに限らない。例えば、光制御部材２０及び２０Ａは、電圧印加時に第１のモード（拡散モード）となり、電圧無印加時に第２のモード（透明モード）となるように構成されていてもよい。
【０１５３】
また、上記の各実施の形態における光制御部材２０及び２０Ａについては、第１のモード（拡散モード又は遮光モード）と第２のモード（透明モード）の２つのモードを切り替えることができるように構成されていたが、これに限らない。例えば、光制御部材２０及び２０Ａは、第１のモード（拡散モード又は遮光モード）及び第２のモード（透明モード）に加えて、第１のモード時の透過率と第２のモード時の透過率との間の中間の透過率となるようなモード（中間モード）及び／又は透過する光の進行方向を変更するモード（屈折モード）等の第３のモードや第４のモードの他のモードが含まれていてもよい。なお、透過率に関する中間モードは、第１のモード時の電圧と第２のモード時の電圧との間の中間の電圧を印加することで実現できる。屈折モードは、例えば電圧印加の有無に応じて光制御部材の内部に屈折率差を生じさせる構成を設けることで実現できる。
【０１５４】
また、上記の各実施の形態において、光源１０は、青色ＬＥＤチップと黄色蛍光体とによって白色光を放出するように構成したが、これに限らない。例えば、赤色蛍光体及び緑色蛍光体を含有する蛍光体含有樹脂を用いて、これと青色ＬＥＤチップとを組み合わせることによりに白色光を放出するように構成しても構わない。
【０１５５】
また、上記の各実施の形態において、ＬＥＤとして、青色ＬＥＤチップを用いたが、これに限らない。例えば、ＬＥＤとしては、青色以外の色を発光するＬＥＤチップを用いても構わない。この場合、蛍光体としては、ＬＥＤの発光波長に応じて適宜選択すればよい。
【０１５６】
また、上記実施の形態において、光源１０は基板１２上にＬＥＤチップを直接実装したＣＯＢ構造としたが、これに限らない。例えば、光源１０として、ＳＭＤ（Ｓｕｒｆａｃｅ  Ｍｏｕｎｔ  Ｄｅｖｉｃｅ）構造のＬＥＤモジュールを用いても構わない。ＳＭＤ構造のＬＥＤモジュールは、基板１２に、発光部１１としてＳＭＤタイプの発光素子を１個又は複数個実装することで実現できる。ＳＭＤタイプの発光素子は、例えば、樹脂製のパッケージ（容器）と、パッケージの凹部の中に実装したＬＥＤチップと、パッケージの凹部内に封入された封止部材（蛍光体含有樹脂）と有するパッケージ型のＬＥＤ素子である。
【０１５７】
また、上記実施の形態では、発光素子としてＬＥＤを例示したが、発光素子としては、半導体レーザ等の半導体発光素子、又は、有機ＥＬ（Ｅｌｅｃｔｒｏ  Ｌｕｍｉｎｅｓｃｅｎｃｅ）や無機ＥＬ等のその他の固体発光素子を用いてもよい。
【０１５８】
また、上記実施の形態では、光源１０として、ＬＥＤ等の固体発光素子を用いたが、これに限らない。例えば、光源１０としては、蛍光ランプ又は白熱電球等の既存光源を用いてもよい。
【０１５９】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１６０】
１、１Ａ、１Ｂ  照明器具
１０  光源
２０、２０Ａ  光制御部材
２０ａ  貫通孔
２１ａ  第１の透明基板
２１ｂ  第２の透明基板
２２ａ  第１の透明電極
２２ｂ  第２の透明電極
２３  配光制御層
２３ａ  樹脂
２３ｂ  液晶
３０  器具本体
３１  枠体部
３１ａ  開口部
６０Ａ、６０Ｂ  透光部材
【図１】
2019192488.tif 000003
【図２Ａ】
2019192488.tif 000004
【図２Ｂ】
2019192488.tif 000005
【図３Ａ】
2019192488.tif 000006
【図３Ｂ】
2019192488.tif 000007
【図３Ｃ】
2019192488.tif 000008
【図４】
2019192488.tif 000009
【図５】
2019192488.tif 000010
【図６】
2019192488.tif 000011
【図７Ａ】
2019192488.tif 000012
【図７Ｂ】
2019192488.tif 000013
【図７Ｃ】
2019192488.tif 000014
【図８】
2019192488.tif 000015
【図９Ａ】
2019192488.tif 000016
【図９Ｂ】
2019192488.tif 000017
【図９Ｃ】
2019192488.tif 000018